(57)【要約】環境雰囲気制御システム１は、少なくとも１つの雰囲気入力データを受け取るように構成された入力手段（３、４−１１）と、前記少なくとも１つの雰囲気入力データをその環境の望ましい雰囲気プロファイルとともに処理し、少なくとも１つの雰囲気出力信号を発生するように構成された処理手段（１８）と、前記雰囲気プロファイルに対応した望ましい雰囲気を生成することができる雰囲気出力ユニットに前記少なくとも１つの雰囲気出力信号を供給する手段（２０）とを有する。
2009517114.tif 000002
【特許請求の範囲】
【請求項１】
環境雰囲気制御方法であって、
少なくとも１つの雰囲気入力データを取得する段階と、
前記少なくとも１つの雰囲気入力データをその環境の望ましい雰囲気プロファイルとともに処理し、少なくとも１つの雰囲気出力信号を発生する段階と、
前記雰囲気プロファイルに対応する望ましい雰囲気を生成することができる雰囲気出力ユニットに前記少なくとも１つの雰囲気出力信号を供給する段階とを有する方法。
【請求項２】
前記少なくとも１つの出力信号は、望みの光の雰囲気に関する第１の制御情報を含む、請求項１に記載の方法。
【請求項３】
前記光の雰囲気は光の強さに関する、請求項２に記載の方法。
【請求項４】
前記光の雰囲気は色に関する、請求項２または３に記載の方法。
【請求項５】
前記光の雰囲気は光の空間的分布に関する、請求項２ないし４いずれか一項に記載の方法。
【請求項６】
前記光の雰囲気は光の指向性に関する、請求項２ないし５いずれか一項に記載の方法。
【請求項７】
前記少なくとも１つの出力信号は、望みの音の雰囲気に関する制御情報も含む、請求項１ないし６いずれか一項に記載の方法。
【請求項８】
前記少なくとも１つの出力信号は、望みの温度の雰囲気に関する制御情報を含む、請求項１ないし７いずれか一項に記載の方法。
【請求項９】
入力データを取得する段階は、センサから信号を読む段階を含む、請求項１ないし８いずれか一項に記載の方法。
【請求項１０】
前記信号を読む段階は、キーパッド、タグリーダ、光センサ、カメラ、動き検出器、赤外線レシーバ、リモートコントロールユニット、ネットワーク、及びこれらの任意の組み合わせのいずれかから信号を読む段階を含む、請求項９に記載の方法。
【請求項１１】
環境雰囲気制御システムであって、
少なくとも１つの雰囲気入力データを受け取るように構成された入力手段と、
前記少なくとも１つの雰囲気入力データをその環境の望ましい雰囲気プロファイルとともに処理し、少なくとも１つの雰囲気出力信号を発生するように構成された処理手段と、
前記雰囲気プロファイルに対応した望ましい雰囲気を生成することができる雰囲気出力ユニットに前記少なくとも１つの雰囲気出力信号を供給する手段とを有するシステム。
【請求項１２】
コンピュータで実行されたとき、前記コンピュータに、請求項１乃至１０いずれか一項に記載の方法を実行するソフトウェア命令を含むコンピュータプログラム。
【発明の詳細な説明】
【技術分野】
【０００１】
本発明は、環境雰囲気制御方法と、環境雰囲気制御装置と、前記方法を実行するコンピュータプログラムとに関する。
【背景技術】
【０００２】
人が感じる環境の雰囲気は、身体的及び精神的な安らぎやそれに関連する要因に影響を与える。屋内などの環境を制御して屋外の照明状態などに似た雰囲気を作る多大な努力がなされている。そうすることにより安らぎが増すと考えられているからである。この結果、自然光に似せた色温度を有する蛍光灯などの製品が提供されている。照明環境をもっと複雑に制御するには色温度の制御が必要であり、特許文献１には、複数のＬＥＤを含む少なくとも１つの光源が発生する白色光の色温度をユーザが変更できるグルーミング装置（grooming  apparatus）が記載されている。
【特許文献１】国際出願第ＷＯ０３／０２４２６９号公報
【発明の開示】
【発明が解決しようとする課題】
【０００３】
先行技術による装置及び方法の欠点は、それが従来の光スイッチをその他の照明装置制御手段で置き換えた、あまり柔軟でないソリューションだということである。
【０００４】
よって、柔軟性と適応性が無いという制約は、先行技術の装置及び方法にとって残念なことであると思われる。
【課題を解決するための手段】
【０００５】
本発明の目的は、これらの欠点を解消または少なくとも軽減することである。この目的は、環境雰囲気制御方法を提供することにより達成される。該方法は、少なくとも１つの雰囲気入力データを取得する段階と、前記少なくとも１つの雰囲気入力データをその環境の望ましい雰囲気プロファイルとともに処理し、少なくとも１つの雰囲気出力信号を発生する段階と、前記雰囲気プロファイルに対応する望ましい雰囲気を生成することができる雰囲気出力ユニットに前記少なくとも１つの雰囲気出力信号を供給する段階とを有する。
【０００６】
この制御方法により、雰囲気入力データを用いたテーラーメイドの雰囲気を作ることが容易になる。この雰囲気入力データは、例えば、ユーザが指定または取得したプリセットデータセットを含むという意味で静的であってもよいし、例えば、環境の変化に応じて変化するという意味で動的であってもよい。さらに、雰囲気入力データを望ましい雰囲気プロファイル（いわゆる静的雰囲気入力データを含んでいてもよい）とともに処理する段階は、望ましい雰囲気のさらなる向上を容易にする。それに続く雰囲気出力信号の生成は、この方法の最終段階である。出力信号が送られ、雰囲気プロファイルに対応する望ましい雰囲気を生成できる雰囲気出力ユニットのコンポーネントの規格に合うように、例えばパワーや電流特性を調整することができる。
【０００７】
好ましい実施形態では、前記少なくとも１つの出力信号は、望みの光の雰囲気に関する第１の制御情報を含む。照明は雰囲気への主要な影響要因であり、第１の制御情報は雰囲気出力ユニットにより放射される光の、強さ、色、空間的分布、指向性などの複数の特性に関係する。雰囲気出力ユニットは複数の光源を含んでもよいので、詳細な説明でさらに説明するように、望ましい雰囲気を完全に制御することができる。
【０００８】
ある雰囲気の体験をさらに向上するため、出力信号は望ましい音の雰囲気に関する制御情報を含んでいてもよい。雰囲気出力ユニットからの出力は、望ましい雰囲気プロファイルに対応する。
【０００９】
出力信号は、望ましい温度の雰囲気に関する制御情報を含んでいてもよい。この情報は、望ましい雰囲気プロファイルに対応するが、その望ましい雰囲気プロファイルのもっと質的な体験（qualitative  experience）を容易にする。温度を使用できると、人間の感覚により大きな影響を与えることが可能となる。
【００１０】
第２の態様において、本発明は、環境雰囲気制御装置を提供する。該装置は、少なくとも１つの雰囲気入力データを受け取るように構成された入力手段と、前記少なくとも１つの雰囲気入力データをその環境の望ましい雰囲気プロファイルとともに処理し、少なくとも１つの雰囲気出力信号を発生するように構成された処理手段と、前記雰囲気プロファイルに対応した望ましい雰囲気を生成することができる雰囲気出力ユニットに前記少なくとも１つの雰囲気出力信号を供給する手段とを有する。
【００１１】
さらに、本発明は、コンピュータにより実行されたとき、前記コンピュータに上記の方法を実行させるソフトウェア命令を含むコンピュータプログラムに関する。
【発明を実施するための最良の形態】
【００１２】
図面を参照して本発明をより詳しく説明する。
【００１３】
図１を参照するに、本発明を実現するシステム１００を示すブロック図を示した。以下に、システムの能力と柔軟性を説明するために、本発明のシステム１００の一例を説明する。本発明のコンセプトから離れることなくコンポーネントを追加または削除できることは、当業者には明らかであろう。
【００１４】
システム１００は、概略的に、雰囲気入力ユニットと、雰囲気出力ユニットと、コントローラ１０２とを含む。
【００１５】
雰囲気入力ユニットはコントローラ１０２の入力インターフェイスユニット１０４に接続されている。入力ユニットの例としては次のものがある：入力インターフェイスユニット１０４を介してコントローラ１０２にユーザ入力を伝えるキーパッド１０６と、バーコードリーダやＲＦＩＤリーダ等のタグリーダ１０８、外光レベル検出手段を含む光センサ１１０と、２次元画像情報を検出して伝えるカメラ１１２と、検出器の視野に入った人などの物理的環境変化を検出する動き検出器１１４と、リモートコントロールユニット１１８等からの赤外線情報を検出する赤外線レシーバ１１６と、ローカルエリアネットワークやインターネット等のネットワーク１２０への接続手段。
【００１６】
雰囲気出力ユニットはコントローラ１０２の出力インターフェイスユニット１２２に接続されている。出力ユニットの例としては、蛍光ＴＬ管、ＨＩＤランプ、ＬＥＤ等の光源１２４、１２６を有する照明装置１２３がある。照明装置１２３は、見る人が窓であると感じるように空間的に構成されている。光源１２４、１２６は様々な色や明るさの光を発生できる。光源１２４、１２６は、さらに、その光源の方向を変更できるモータ１２８にリンクしている。出力ユニットは、さらに、オーディオ信号を出力するスピーカ１３０であるオーディオ出力装置と、光源１２４、１２６の感じを向上するための放射ヒータ１３２であるヒータ装置とを含む。
【００１７】
コントローラ１０２は、上記の入力インターフェイスユニット１０４と、プロセッサ１３４と、メモリ１３６と、出力ユニットの好適に構成された駆動回路（図示せず）を有する上記の出力インターフェイスユニット１２２とを含む。プロセッサ１３４は上記各ユニットの機能を制御し、メモリ１３６はプロセッサが使用するデータを記憶する。そのデータは、任意数の雰囲気プロファイルを規定するデータを含む。雰囲気プロファイルについては後でより詳しく説明する。
【００１８】
典型的な動作では、プロセッサ１３４は、メモリ１３６に格納された望ましいユーザ選択雰囲気プロファイルを分析して、そのプロファイルに必要な入力データを選択する。次に、入力データは、付随する雰囲気入力ユニットを使用して、雰囲気入力インターフェイスユニット１０４を通して取得され、プロセッサ１３４で処理される。プロセッサ１３４は、所望の雰囲気プロファイルに応じてそのデータを処理した後、出力インターフェイス１２２を介して雰囲気出力ユニットを制御する。
【００１９】
換言すると、図２を参照するに、本発明の方法をフローチャートで示した。取得ステップ２００において、入力データユニットから雰囲気入力データを取得する。これは周囲条件の読み（readings）から取得する。次の処理ステップ２０２において、雰囲気入力データは、指定された環境の望ましい雰囲気プロファイルと合わせて処理される。雰囲気出力信号が適宜生成されてもよい。出力ステップ２０４において、雰囲気出力信号を雰囲気出力ユニットに供給する。雰囲気出力ユニットは、前記雰囲気プロファイルに対応した望ましい雰囲気を生成することができる。
【００２０】
望ましい雰囲気プロファイルは、出力信号の発生にプロセッサが使用するパラメータを含む、相異なる複数のパラメータや条件を指定する。ここで、これらの望ましい雰囲気プロファイルを大まかに例示し、本発明のシステムの様々な使用方法を示す。大まかではあるが、上記例の実施は、コントローラの動作の上記説明を考慮すれば本技術分野の当業者には明らかである。例えば、当業者は、ソフトウェア命令の処理を実施するとき、好適なプログラミングツールを容易に見つけることができるであろう。
【００２１】
第１の雰囲気プロファイルでは、プロセッサ１３４は、日光の色に関する情報を光センサ１１０から取得し、砂浜の状態に関する情報をカメラ１１２から取得する。プロセッサは個人的設定及び１日のうちの時刻と取得した情報とを組み合わせて、照明装置の下部に海の青い光を出力し、中部に太陽の黄色い光を出力し、上部に青い空の光を出力する。得られたデータ（registered  data）はメモリ１３６に格納される。さらに、スピーカ１３０を使用して、水（周期的な波）や砂浜で話している人やカモメなどが発する音を出力する。プロセッサは、選択された入力ユニットからの入力と、一日のうちの時刻と、個人的設定とを用いて、時間の経過とともに色や音を調節する。
【００２２】
雨の日に合わせた第２の雰囲気プロファイルによると、プロセッサ１３４は、カメラ１１２と光センサ１１０から外の照明の雰囲気に関する情報を取得し、動き検出器１１４から部屋に人がいることの情報を取得する。これらの入力データは、晴れの日の出力プロファイルに関するメモリ１３６に格納された情報とともに処理される。プロセッサ１３４は、これらの情報を組み合わせて、雨がやむ音と、雨が上がって空が晴れる色の変化を含む合成出力シーンを約１５分間かけて生成する。約２０分後、色は暖かく白っぽい心地よい色に変化する。上記の時間的長さは個々のプロファイルの設定により変わる。
【００２３】
第３の雰囲気プロファイルは、一日を延ばすことを目的とする。このプロファイルでは、プロセッサ１３４は、平日の起床時間、平日の就寝時間、所望の緯度、所望の音楽やサウンド、気候等の個人的設定を入力データとして主に使用するプロセッサ１３４は、入力情報を、対応する出力に関するメモリに格納されたデータと組み合わせ、一日と似た出力を提供する。すなわち、太陽が昇り、一日で色温度と位置が変化する。照明装置の上部に青い空の光、下部に灰色っぽい光を出力し、ヒータ装置１３０からの熱放射が変化する。
【００２４】
第４の雰囲気プロファイルは、入力（この例では、モバイル通信ネットワークからの入来信号）の結果として起動される。プロセッサ１３４は、発呼者を特定し、雰囲気出力装置に簡単なアイコンやシーンを表示する。さらに、入力信号は例えば発呼者の電話からの画像である。この実施例の開発において、ＧＳＭ電話をシステムに組み込むことができる。
【００２５】
第５の雰囲気プロファイルは、同じ信号起動プロファイルに基づくが、この場合、プロセッサはドアベルによりトリガーされる。結果として、ドアのカメラから画像情報を取得し、画像処理を行い、対応する雰囲気出力を雰囲気出力ユニットが提供する。
【００２６】
雰囲気プロファイルの最後の例は、映画の視聴体験の向上に関するものである。このプロファイルでは、プロセッサは、映画のシーンの色設定に関する情報を収集し、あるいは、メディアプレーヤの出力から直接この情報を収集し、雰囲気出力ユニットで同様の色設定を表示する。
【００２７】
例示した実施形態では複数の雰囲気入力ユニットと雰囲気出力ユニットを使用したが、すべてのプロファイルにこれらのユニットをすべて使用する必要は必ずしもないことは、雰囲気プロファイルの説明から明らかであろう。さらに、入力信号は指紋センサや個人認識コードなどを含み、雰囲気出力ユニットはさらに体験を向上するにおい発生器も含んでいてもよい。
【図面の簡単な説明】
【００２８】
【図１】本発明を実現するシステムを示すブロック図である。
【図２】本発明による方法を示すフローチャートである。
【図１】
2009517114.tif 000003
【図２】
2009517114.tif 000004
【国際調査報告】
2009517114.tif 000005
2009517114.tif 000006